(57)【要約】【課題】簡易で効率よくコンテンツを検索できる画像表示装置、コンテンツ検索方法およびコンテンツ検索プログラムを提供する。【解決手段】画像表示手段２１４と、装置全体を制御する制御手段２１１とを備えた画像表示装置２であって、制御手段２１１には、予め画像情報および音声情報のうち少なくとも一方と、これに応じた内容情報とを含むコンテンツ情報が蓄積された外部機器３が接続される外部機器接続手段２１５が設けられる。制御手段２１１は、画像コンテンツの画像情報に付帯する内容情報を取得する内容情報取得部２１１２，２１１７と、取得された内容情報に含まれる固有情報に基づいて、外部機器に蓄積されたコンテンツ情報のうち、固有情報に関連するコンテンツ情報を検索する蓄積情報検索部２１１９と、検索により抽出されたコンテンツ情報に含まれる内容情報を、画像表示手段に表示させる内容情報表示部２１１５，２１１６とを備える。【選択図】  図２
2006215903.tif 000002
【特許請求の範囲】
【請求項１】
入力される画像情報に基づいて、画像コンテンツを表示する画像表示手段と、この画像表示手段を含む装置全体を駆動制御する制御手段とを備えた画像表示装置であって、
前記制御手段には、予め画像情報および音声情報のうち少なくとも一方と、これに応じた内容情報とを含むコンテンツ情報が蓄積された外部機器が接続される外部機器接続手段が設けられ、
前記制御手段は、
前記画像コンテンツに係る画像情報に付帯する当該画像コンテンツの内容情報を取得する内容情報取得部と、
前記内容情報取得部で取得された内容情報に含まれる前記画像コンテンツの固有情報に基づいて、前記外部機器接続手段に接続された外部機器に蓄積されたコンテンツ情報のうち、前記固有情報に関連するコンテンツ情報を検索する蓄積情報検索部と、
検索により抽出されたコンテンツ情報に含まれる当該コンテンツ情報の内容情報を、前記画像表示手段に表示させる内容情報表示部とを備えることを特徴とする画像表示装置。
【請求項２】
請求項１に記載の画像表示装置において、
前記外部機器接続手段は、画像情報および音声情報のうち少なくとも一方を含むコンテンツ情報を配信可能なコンテンツ配信サーバが接続されたネットワークに接続可能なネットワークインターフェースを含んで構成され、
前記制御手段は、
前記固有情報に関連するコンテンツ情報が蓄積されたコンテンツ配信サーバを探索するサーバ探索部と、
探索された前記コンテンツ配信サーバに対して、前記関連するコンテンツ情報の配信要求を出力する配信要求出力部とを備えていることを特徴とする画像表示装置。
【請求項３】
請求項２に記載の画像表示装置において、
前記制御手段は、
前記コンテンツ配信サーバから配信されたコンテンツ情報を、自己の記憶装置または前記外部機器接続手段に接続された外部機器に記録させる情報書込部を備えていることを特徴とする画像表示装置。
【請求項４】
請求項１から請求項３のいずれかに記載の画像表示装置において、
前記コンテンツ情報は、放送信号に含まれて搬送され、
前記内容情報取得部は、前記放送信号から前記内容情報を抽出して取得し、
前記蓄積情報検索部は、抽出した前記内容情報に含まれる固有情報と、前記外部機器に蓄積されたコンテンツ情報の内容情報とを対比して検索を行うことを特徴とする画像表示装置。
【請求項５】
請求項１から請求項４のいずれかに記載の画像表示装置において、
前記内容情報表示部は、前記蓄積情報検索部の検索により抽出された内容情報を、前記表示中の画像コンテンツに重畳させて表示することを特徴とする画像表示装置。
【請求項６】
入力される画像情報に基づいて、画像コンテンツを表示する画像表示手段と、この画像表示手段を含む装置全体を駆動制御する制御手段とを備えた画像表示装置と、当該画像表示装置に接続され、予め画像情報および音声情報のうち少なくとも一方、並びに、これに応じた内容情報を含むコンテンツ情報が蓄積された外部機器とを備えた画像表示システムに用いられ、前記外部機器に蓄積された前記コンテンツ情報を検索するコンテンツ検索方法であって、
前記制御手段に、
前記画像コンテンツに係る画像情報に付帯する当該画像コンテンツの固有情報を取得する固有情報取得ステップと、
取得された固有情報に含まれる前記画像コンテンツの固有情報に基づいて、前記外部機器に蓄積されたコンテンツ情報のうち、前記固有情報に関連するコンテンツ情報を検索する蓄積情報検索ステップと、
検索により抽出されたコンテンツ情報に含まれる当該コンテンツ情報の内容情報を、前記画像表示手段に表示させる内容情報表示ステップとを実行させることを特徴とするコンテンツ検索方法。
【請求項７】
入力される画像情報に基づいて、画像コンテンツを表示する画像表示手段と、この画像表示手段を含む装置全体を駆動制御する制御手段とを備えた画像表示装置と、当該画像表示装置に接続され、予め画像情報および音声情報のうち少なくとも一方、並びに、これに応じた内容情報を含むコンテンツ情報が蓄積された外部機器とを備えた画像表示システムに用いられ、前記外部機器に蓄積された前記コンテンツ情報を検索するために、前記制御手段上で実行可能なコンテンツ検索プログラムであって、
前記制御手段に、
前記画像コンテンツに係る画像情報に付帯する当該画像コンテンツの内容情報を取得する内容情報取得ステップと、
取得された内容情報に含まれる前記画像コンテンツの固有情報に基づいて、前記外部機器に蓄積されたコンテンツ情報のうち、前記固有情報に関連するコンテンツ情報を検索する蓄積情報検索ステップと、
検索により抽出されたコンテンツ情報に含まれる当該コンテンツ情報の内容情報を、前記画像表示手段に表示させる内容情報表示ステップとを実行させることを特徴とするコンテンツ検索プログラム。
【発明の詳細な説明】
【技術分野】
【０００１】
本発明は、入力される画像情報に基づいて、画像コンテンツを表示する画像表示手段と、この画像表示手段を含む装置全体を駆動制御する制御手段とを備えた画像表示装置と、当該画像表示装置に接続された外部機器に蓄積された画像情報および音声情報のうち少なくとも一方、および、これに応じた内容情報を含むコンテンツを検索するコンテンツ検索方法と、コンテンツ検索プログラムとに関する。
【背景技術】
【０００２】
従来、放送信号またはインターネット等から電子番組ガイド（Electronic Program Guide，ＥＰＧ）の番組情報を取得し、当該番組情報からテレビ番組等の番組表を生成して表示するテレビ受像機および番組記録装置が知られている。また、近年、家庭内にネットワークを構築し、当該ネットワークを介して、映像情報および音声情報のうち少なくとも一方を含むコンテンツを蓄積したＰＣ（Personal Computer）、および、テレビ受像機等の家電機器を互いに接続して、コンテンツ等の情報の共有化を図るホームネットワークが一般化しつつある。このようなホームネットワークでは、例えば、ＰＣから離れた位置にあるテレビ受像機で、当該ＰＣに保存されているコンテンツを視聴することが可能となるように構成されている。
【０００３】
ここで、ホームネットワークに接続されたテレビ受像機等の画像表示装置で、当該ホームネットワーク上の記録機器に記録されたコンテンツを視聴する場合、使用者が当該コンテンツであるファイルの記録場所を覚えていればよいが、そうでない場合には、多数のファイルから該当するファイルを検索する必要がある。このため、コンテンツの検索方法が、現在までに数多く考案されており、複数のファイルの情報を他のファイルに記録しておき、ファイルの検索時には、当該ファイルを参照してファイル検索を行う方法が知られている（例えば、特許文献１参照）。
【０００４】
この特許文献１に記載の検索方法では、使用者が入力したキーワードに基づいて、ＨＤ記録再生装置のＨＤＤに保存されたコンテンツファイルの中から、該当するファイルを、各ファイルのアルバム名、トラック名およびアーティスト名等が記録されたアルバム名・トラック名データベースファイルを参照して検索する。ファイルのアルバム名等は、当該ファイルの編集の際に付され、アルバム名・トラック名データベースファイルに登録される。このような検索方法により、該当するファイルを迅速に検索することができる。
【０００５】
【特許文献１】特開２００３−５０８１６号公報
【発明の開示】
【発明が解決しようとする課題】
【０００６】
しかしながら、特許文献１に記載の検索方法では、使用者が、コンテンツを検索するためのキーワードを入力する必要があるので、使用者に煩雑な操作を強いるという問題がある。
すなわち、コンテンツ検索を良好に行うためには、使用者は、なるべく正確なキーワードを入力する必要がある。ここで、使用者が入力したキーワードに該当するファイル数が多数存在する場合には、検索結果に対して、さらに絞込み検索を行う必要がある場合があり、使用者にとって面倒である。さらに、入力したキーワードが適当でない場合には、検索結果が意図しないものとなり、使用者は、試行錯誤的にキーワードを入力するなどして検索することとなり、使用者に過大な負荷を強いるという問題がある。このような問題から、コンテンツを簡易に、かつ、効率よく検索できる画像表示装置、コンテンツ検索方法およびコンテンツ検索プログラムが要望されてきた。
【０００７】
本発明の目的は、簡易に、かつ、効率よくコンテンツを検索できる画像表示装置、コンテンツ検索方法およびコンテンツ検索プログラムを提供することである。
【課題を解決するための手段】
【０００８】
前記した目的を達するために、本発明の画像表示装置は、入力される画像情報に基づいて、画像コンテンツを表示する画像表示手段と、この画像表示手段を含む装置全体を駆動制御する制御手段とを備えた画像表示装置であって、前記制御手段には、予め画像情報および音声情報のうち少なくとも一方と、これに応じた内容情報とを含むコンテンツ情報が蓄積された外部機器が接続される外部機器接続手段が設けられ、前記制御手段は、表示中の画像コンテンツに係る画像情報に付帯する当該画像コンテンツの内容情報を取得する内容情報取得部と、前記内容情報取得部で取得された内容情報に含まれる前記画像コンテンツの固有情報に基づいて、前記外部機器接続手段に接続された外部機器に蓄積されたコンテンツ情報のうち、前記固有情報に関連するコンテンツ情報を検索する蓄積情報検索部と、検索により抽出されたコンテンツ情報に含まれる当該コンテンツ情報の内容情報を、前記画像表示手段に表示させる内容情報表示部とを備えることを特徴とする。
【０００９】
本発明によれば、画像表示装置に接続された外部機器から、当該画像表示装置の内容情報取得部により取得された画像コンテンツの内容情報に含まれる固有情報に基づいて、当該固有情報に関連するコンテンツ情報が検索されるので、コンテンツの検索を、簡易に、かつ、効率よく行うことができる。
すなわち、画像表示装置の制御手段では、内容情報取得部により、表示中の画像コンテンツの内容情報が取得され、当該内容情報に含まれる固有情報に関連するコンテンツ情報が、蓄積情報検索部により、外部機器に蓄積されたコンテンツ情報から検索される。この検索によって抽出されたコンテンツ情報の内容情報は、内容情報表示部により、画像表示手段に表示される。これによれば、画像コンテンツの固有情報に基づいて関連するコンテンツ情報の検索を行うので、キーワード等を使用者が入力する必要を無くすことができる。このため、使用者の負荷を軽減することができるとともに、キーワードの入力誤りおよび不適なキーワードの入力等を無くすことができ、コンテンツ情報検索の精度を向上することができる。従って、外部機器に蓄積されたコンテンツ情報から所望のコンテンツ情報を、簡易に、かつ、効率よく検索することができる。
【００１０】
本発明では、前記外部機器接続手段は、画像情報および音声情報のうち少なくとも一方を含むコンテンツ情報を配信可能なコンテンツ配信サーバが接続されたネットワークに接続可能なネットワークインターフェースを含んで構成され、前記制御手段は、前記固有情報に関連するコンテンツ情報が蓄積されたコンテンツ配信サーバを探索するサーバ探索部と、探索された前記コンテンツ配信サーバに対して、前記関連するコンテンツ情報の配信要求を出力する配信要求出力部とを備えていることが好ましい。
本発明によれば、サーバ探索部が、前述の内容情報取得部によって取得された内容情報に含まれる固有情報に関連するコンテンツ情報が蓄積されたコンテンツ配信サーバを探索し、探索されたコンテンツ配信サーバに対して、配信要求出力部が、当該関連するコンテンツ情報の配信を要求する。これによれば、画像表示装置に接続された外部機器だけでなく、ネットワーク上に位置するコンテンツ配信サーバから、固有情報に関連するコンテンツ情報を検索し、当該コンテンツ情報の配信を受けることができる。従って、より多くのコンテンツ情報を、画像表示装置で利用することができる。
【００１１】
本発明では、前記制御手段は、前記コンテンツ配信サーバから配信されたコンテンツ情報を、自己の記憶装置または前記外部機器接続手段に接続された外部機器に記録させる情報書込部を備えていることが好ましい。
本発明によれば、情報書込部により、コンテンツ配信サーバから取得したコンテンツ情報は、画像表示装置の記憶装置または外部機器に記録されることとなる。これによれば、利用する必要が発生する毎に、コンテンツ配信サーバに配信要求を出力してコンテンツ情報を取得する必要をなくすことができる。従って、画像表示装置の制御手段における処理の軽減を図ることができるとともに、コンテンツ配信サーバと接続されるネットワーク回線の混雑緩和を図ることができる。
【００１２】
本発明では、前記コンテンツ情報は、放送信号に含まれて搬送され、前記内容情報取得部は、前記放送信号から前記内容情報を抽出して取得し、前記蓄積情報検索部は、抽出した前記内容情報に含まれる固有情報と、前記外部機器に蓄積されたコンテンツ情報の内容情報とを対比して検索を行うことが好ましい。
ここで、このような内容情報としては、コンテンツが、テレビ番組である場合には、電子番組ガイド（Electronic Program Guide，ＥＰＧ）の番組情報として取得することも可能である。また、内容情報に含まれる固有情報は、番組名、ジャンル、番組内容、出演者、原作／脚本、監督／演出、音楽等の個々の情報とすることができる。
本発明によれば、内容情報取得部が、放送信号からコンテンツ情報に含まれる内容情報を取得することにより、当該内容情報を取得する際に、インターネット等の外部環境に接続する必要を無くすことができる。従って、コンテンツ情報の内容情報を安定して取得することができる。
また、蓄積情報検索部によるコンテンツ情報の検索は、内容情報取得部で取得した内容情報に含まれる固有情報と、外部機器に蓄積されたコンテンツ情報の内容情報との対比であるので、検索処理を迅速に実施することができる。
【００１３】
本発明では、前記内容情報表示部は、前記蓄積情報検索部の検索により抽出された内容情報を、前記表示中の画像コンテンツに重畳させて表示することが好ましい。
本発明によれば、コンテンツの画像に、検索結果の画像が重ね合わせて表示されるので、現在視聴しているコンテンツを停止させることなく検索結果を確認することができる。
【００１４】
また、本発明のコンテンツ検索方法は、入力される画像情報に基づいて、画像コンテンツを表示する画像表示手段と、この画像表示手段を含む装置全体を駆動制御する制御手段とを備えた画像表示装置と、当該画像表示装置に接続され、予め画像情報および音声情報のうち少なくとも一方、並びに、これに応じた内容情報を含むコンテンツ情報が蓄積された外部機器とを備えた画像表示システムに用いられ、前記外部機器に蓄積された前記コンテンツ情報を検索するコンテンツ検索方法であって、前記制御手段に、前記画像コンテンツに係る画像情報に付帯する当該画像コンテンツの内容情報を取得する内容情報取得ステップと、取得された内容情報に含まれる前記画像コンテンツの固有情報に基づいて、前記外部機器に蓄積されたコンテンツ情報のうち、前記固有情報に関連するコンテンツ情報を検索する蓄積情報検索ステップと、検索により抽出されたコンテンツ情報に含まれる当該コンテンツ情報の内容情報を、前記画像表示手段に表示させる内容情報表示ステップとを実行させることを特徴とする。
【００１５】
本発明によれば、前述の画像表示装置と同様の効果を奏することができる。
すなわち、画像表示装置の制御手段が、内容情報取得ステップにより、画像コンテンツに係る画像情報に付帯する内容情報を取得し、蓄積情報検索ステップにより、取得した内容情報に含まれる固有情報に関連するコンテンツ情報を、外部機器から検索する。そして、この検索により抽出された該当コンテンツ情報の内容情報を、内容情報表示ステップにより、画像表示手段に表示させる。これによれば、取得した固有情報に関連したコンテンツ情報が、外部機器に蓄積されたコンテンツ情報から検索され、抽出されたコンテンツ情報の内容情報が画像として表示されることとなる。従って、画像コンテンツの内容情報に含まれる固有情報を基にコンテンツ情報の検索を行うので、当該検索の精度を向上することができ、簡易に、かつ、効率よく検索処理を実行することができる。
【００１６】
さらに、本発明のコンテンツ検索プログラムは、入力される画像情報に基づいて、画像コンテンツを表示する画像表示手段と、この画像表示手段を含む装置全体を駆動制御する制御手段とを備えた画像表示装置と、当該画像表示装置に接続され、予め画像情報および音声情報のうち少なくとも一方、並びに、これに応じた内容情報を含むコンテンツ情報が蓄積された外部機器とを備えた画像表示システムに用いられ、前記外部機器に蓄積された前記コンテンツ情報を検索するために、前記制御手段上で実行可能なコンテンツ検索プログラムであって、前記制御手段に、前記画像コンテンツに係る画像情報に付帯する当該画像コンテンツの内容情報を取得する内容情報取得ステップと、取得された内容情報に含まれる前記画像コンテンツの固有情報に基づいて、前記外部機器に蓄積されたコンテンツ情報のうち、前記固有情報に関連するコンテンツ情報を検索する蓄積情報検索ステップと、検索により抽出されたコンテンツ情報に含まれる当該コンテンツ情報の内容情報を、前記画像表示手段に表示させる内容情報表示ステップとを実行させることを特徴とする。
【００１７】
本発明によれば、前述のコンテンツ検索方法と同様の効果を奏することができる。
すなわち、制御手段上でコンテンツ検索プログラムが実行されることにより、内容情報取得ステップで、画像コンテンツの内容情報を取得し、蓄積情報検索ステップで、取得した画像コンテンツの内容情報に含まれる固有情報に関連したコンテンツ情報を、外部機器から検索することができる。そして、内容情報表示ステップで、該当するコンテンツ情報の内容情報を画像表示手段に表示することができる。これによれば、コンテンツ情報の検索精度を向上することができ、検索処理を一層容易に、かつ、効率よく実行することができる。
また、当該コンテンツ検索プログラムの実行により、コンテンツ情報検索を自動で行うことができるので、より一層検索処理を簡易に行うことができる。
【発明を実施するための最良の形態】
【００１８】
（１）テレビ受像システム１の構成
以下、本発明の一実施形態を図面に基づいて説明する。
図１は、本実施形態のテレビ受像システム１の構成を示す図である。
本実施形態のテレビ受像システム１は、図１に示すように、画像表示装置としてのテレビ受像機２と、外部機器としてのメディア再生記録装置３と、ネットワークＮを介して、テレビ受像機２と接続可能なサーバ４，５とを備えて構成されている。
【００１９】
テレビ受像機２は、受像機本体２１と、当該受像機本体２１に赤外線によって操作信号を出力するリモコン２２とを備えている。
このうち、リモコン２２には、詳しい図示を省略するが、受像機本体２１を操作する各種ボタンが配設されている。具体的には、このようなボタンとして、チャンネルを切り替えるための「１」〜「１２」までの数字が表記されたチャンネルボタン、入力ソースを切り替える入力切替ボタン、音量を上下させる音量調節ボタン等が設けられている。また、後述するコンテンツ検索処理を受像機本体２１に実行させる検索ボタンや、当該コンテンツ検索処理において表示されるＯＳＤ（On Screen Display）メニュー画像の項目を選択する上下ボタン、および、選択した項目を確定する確定ボタンを備えている。
なお、リモコン２２は赤外線によって操作信号を出力するとしたが、電波によって送信するように構成してもよい。
【００２０】
メディア再生記録装置３は、ＵＳＢ（Universal Serial Bus）端子およびＩＥＥＥ１３９４端子を備え、これら接続端子のいずれかにより、テレビ受像機２の受像機本体２１と接続されている。
また、このメディア再生記録装置３は、詳しい図示を省略したが、内部に、ＨＤＤ（Hard Disk Drive）および半導体メモリカードのリーダ／ライタが設けられており、ＨＤＤおよび半導体メモリカードに記録されたコンテンツファイルを再生して、当該コンテンツファイルに含まれる映像情報および音声情報のうち少なくとも一方を、受像機本体２１に出力する。また、受像機本体２１の制御下で、当該受像機本体２１から出力されるコンテンツを、ＨＤＤまたは半導体メモリカードに記録する。
なお、以下の説明では、コンテンツとは、画像および音声のうち少なくとも一方を含む情報の１つの集合を指すものである。例えば、テレビ番組、ラジオ番組、動画ファイル、音声ファイル、静止画ファイル等が挙げられる。
【００２１】
サーバ４，５は、前述のように、受像機本体２１と、インターネット等のネットワークＮを介して接続されている。
このうち、サーバ４は、電子番組ガイド（Electronic Program Guide，ＥＰＧ）の情報を配信する。すなわち、サーバ４は、テレビ受像機２の受像機本体２１の要求に応じて、当該受像機本体２１に、ＥＰＧ情報として、番組名、放送開始日時、番組時間長およびジャンル等の番組基本情報と、番組内容、出演者、原作／脚本、監督／演出および音楽等の番組拡張情報とを配信する。
サーバ５は、本発明のコンテンツ配信サーバに相当し、画像情報および音声情報のうち少なくとも一方と、これに応じた内容情報とを含むコンテンツ情報としての動画ファイルおよび音声ファイルを、テレビ受像機２の要求に応じて配信する。
【００２２】
ここで、メディア再生記録装置３およびサーバ５に保存されているコンテンツ情報としてのコンテンツファイルには、当該コンテンツの内容を示す内容情報、すなわち、ヘッダ情報およびフッタ情報のうち少なくとも一方や、メタデータ等が含まれている。例えば、音声ファイルが、ＭＰ３（MPEG1 Audio Layer-3）形式、ＡＴＲＡＣ３（Adaptive TRansform Acoustic Coding-3）形式、ＷＭＡ（Windows（登録商標） Media Audio）形式、および、ＴｗｉｎＶＱ（Transform-domain Weighted Interleave Vector Quantization）形式のファイルである場合には、当該ファイルに、タイトル名（曲名）やアーティスト名等のヘッダ情報が付加されている。また、動画ファイルには、ヘッダ情報およびフッタ情報の代わりに、タイトル名や出演者等の情報を含むメタデータが付加されているものもある。
【００２３】
（２）受像機本体２１の構成
図２は、テレビ受像機２の受像機本体２１の構成を示す図である。
テレビ受像機２の受像機本体２１は、図２に示すように、制御基板２１１と、スピーカ２１３と、画像表示部２１４と、インターフェース基板２１５と、ＨＤＤ２１６とを備えて構成されている。
このうち、スピーカ２１３は、制御基板２１１の後述する音声信号処理回路２１１３に接続され、当該音声信号処理回路２１１３から出力される音声信号に応じた音声を出力する。
画像表示部２１４は、本発明の画像表示手段に相当し、液晶パネルおよび液晶パネル駆動回路によって構成されている。すなわち、本実施形態の受像機本体２１は、液晶テレビとして構成されている。
【００２４】
インターフェース基板２１５は、本発明の外部機器接続手段に相当し、制御基板２１１のバスＢと電気的に接続されている。このインターフェース基板２１５は、リモコンインターフェース（リモコンＩＦ）２１５１と、外部インターフェース（外部ＩＦ）２１５２と、ネットワークインターフェース（ネットワークＩＦ）２１５３とを備えている。
【００２５】
リモコンインターフェース２１５１は、リモコン２２から送信される操作信号を受信して、当該操作信号を受像機本体２１で処理可能な形式に変換する。この変換された操作信号は、制御基板２１１のバスＢを介して後述するＣＰＵ２１１９に出力され、当該ＣＰＵ２１１９で処理され、受像機本体２１の駆動が制御される。
外部インターフェース２１５２は、ＵＳＢ端子およびＩＥＥＥ１３９４端子等を備え、これら端子のいずれかによりメディア再生記録装置３と接続されている。これらの接続端子には、それぞれポート番号が設定されている。
ネットワークインターフェース２１５３は、ネットワークＮに接続するためのもので、当該ネットワークインターフェース２１５３を介して、受像機本体２１は、サーバ４，５と接続される。
また、ＨＤＤ２１６は、本発明の記憶装置に相当し、動画、静止画および音声のコンテンツファイル等が保存可能に構成されている。
【００２６】
制御基板２１１は、受像機本体２１の装置全体の駆動制御を行うとともに、入力されるコンテンツ情報を処理して、当該コンテンツ情報に含まれる画像情報に基づく画像の形成処理、および、同じくコンテンツ情報に含まれる音声情報に基づく音声出力処理を行う。
この制御基板２１１は、チューナ２１１１と、デマルチプレクサ２１１２と、音声信号処理回路２１１３と、映像信号処理回路２１１４と、描画処理回路２１１５と、映像出力回路２１１６と、ＥＰＧ処理回路２１１７と、フレームメモリ２１１８と、ＣＰＵ（Central Processing Unit）２１１９と、ＲＯＭ（Read Only Memory）２１２０と、ＲＡＭ（Random Access Memory）２１２１と、ＨＤＤコントローラ２１２２とを備えて構成され、これらがバスＢを介して互いに接続されている。
【００２７】
このうち、フレームメモリ２１１８は、画像表示部２１４で表示される画像の１フレームに相当する情報を記憶する。
ＲＯＭ２１２０は、受像機本体２１の設定データや、ＣＰＵ２１１９で実行されるプログラム、すなわち、制御プログラムや、後述するコンテンツ検索処理を行うコンテンツ検索プログラム等が記憶されている。
ＲＡＭ２１２１は、ＲＯＭ２１２０内に記憶された設定データおよびプログラムが、ＣＰＵ２１１９で利用される際に、一時的に記憶される。また、このＲＡＭ２１２１は、後述すコンテンツ検索処理Ｓにおける各種情報が一時的に書き込まれる。
ＨＤＤコントローラ２１２２は、ＣＰＵ２１１９の制御下で、ＨＤＤ２１６に記録されたコンテンツファイル等の情報の読込み、および、当該ＨＤＤ２１６への情報の書込みを制御する。
【００２８】
チューナ２１１１は、アンテナから入力する放送信号から、使用者が選択したチャンネルに応じた周波数の放送信号を選択して受信し、一定周波数の信号に変換して出力する。
デマルチプレクサ２１１２は、本発明の内容情報取得部に相当し、チューナ２１１１により変換された信号から、音声信号、映像信号およびＥＰＧ信号を分離、抽出する。すなわち、放送信号からコンテンツ情報としてのテレビ番組を取得して画像表示部２１４で表示する場合に、当該放送信号に含まれるＥＰＧ情報が、コンテンツ情報の内容情報となる。なお、地上波アナログ放送のように、放送信号にＥＰＧ信号が含まれない場合には、チューナ２１１１から出力される信号から、音声信号および映像信号を抽出し、音声信号処理回路２１１３および映像信号処理回路２１１４に出力する。
音声信号処理回路２１１３は、デマルチプレクサ２１１２で分離された音声信号、および、インターフェース基板２１５を介してメディア再生記録装置３およびサーバ５から入力する音声信号を処理して、スピーカ２１３を介して、当該音声信号に応じた音声を出力する。
【００２９】
映像信号処理回路２１１４は、デマルチプレクサ２１１２で分離された映像信号、および、インターフェース基板２１５を介してメディア再生記録装置３およびサーバ５から入力する映像信号を処理して、再生可能な１フレームごとの映像信号にデコードする。
描画処理回路２１１５は、スケーラおよびＯＳＤ処理回路を備えて構成されている。このうち、スケーラは、画像表示部の解像度に合うように、表示画像のスケールを調整する。また、ＯＳＤ処理回路は、ＲＡＭ２１２１を参照して、当該ＲＡＭ２１２１に記憶された各種情報に基づくＯＳＤメニュー画像を生成し、当該ＯＳＤメニュー画像を、現在表示中の表示画像に重畳する。このようにして形成された表示画像は、フレームメモリ２１１８に書き込まれる。
映像出力回路２１１６は、フレームメモリ２１１８に書き込まれた表示画像の情報を、表示画像信号として画像表示部２１４に出力する。
すなわち、描画処理回路２１１５および映像出力回路２１１６は、本発明の内容情報表示部に相当する。
【００３０】
ＥＰＧ処理回路２１１７は、デマルチプレクサ２１１２で分離されたＥＰＧ信号を取得し、制御基板２１１で処理可能な情報形式にデコードし、デコードしたＥＰＧ情報を、ＲＡＭ２１２１に記憶させる。
【００３１】
図３は、ＣＰＵ２１１９の機能を示すブロック図である。
ＣＰＵ２１１９は、制御基板２１１全体の駆動制御を行うものであり、各構成部品に制御信号を出力する。このＣＰＵ２１１９は、図３に示すように、検索画面表示指示部２１１９Ａと、ＥＰＧ情報取得部２１１９Ｂと、コンテンツ検索部２１１９Ｃと、サーバ探索部２１１９Ｄと、内容情報表示指示部２１１９Ｅと、配信要求出力部２１１９Ｆと、書込先選択画面表示指示部２１１９Ｇと、コンテンツ書込部２１１９Ｈとに、機能的に分類される。
【００３２】
検索画面表示指示部２１１９Ａは、リモコン２２の検索ボタンが入力され、リモコンインターフェース２１５１を介して、コンテンツ検索処理を実行する操作信号が入力した場合に、ＲＡＭ２１２１に記憶され、ＥＰＧ処理回路２１１７でデコードされたＥＰＧ情報を項目ごとに抽出して、ＲＡＭ２１２１に記憶する。具体的に、検索画面表示指示部２１１９Ａは、ＥＰＧ情報から、番組名、出演者、原作者および番組内容等の項目を抽出する。そして、この検索画面表示指示部２１１９Ａは、抽出したＥＰＧ情報の項目から、コンテンツ検索の検索キーに設定する項目を使用者に選択させるＯＳＤメニュー画像を生成する信号を、描画処理回路２１１５に出力する。この検索キーに設定された内容情報としてのＥＰＧ情報の項目が、コンテンツ情報としてのテレビ番組の固有情報となる。
【００３３】
ＥＰＧ情報取得部２１１９Ｂは、コンテンツ検索処理を実行する操作信号が入力した際に、受信した放送信号にＥＰＧ情報が含まれていない場合に、検索画面表示指示部２１１９Ａでの処理に先駆けて、ネットワークインターフェース２１５３を介してサーバ４にアクセスし、ＥＰＧ情報を取得して、当該ＥＰＧ情報をＲＡＭ２１２１に記憶させる。
また、このＥＰＧ情報取得部２１１９Ｂは、表示中の画像コンテンツが放送信号に由来するものではなく、動画、静止画等のファイルに由来する場合は、当該ファイルのヘッダ情報、フッタ情報およびメタデータ等から画像コンテンツの内容情報を取得する。また、この内容情報の項目から、後述するコンテンツ検索処理で用いられる検索キーが設定された場合、当該項目が画像コンテンツの固有情報となる。
【００３４】
コンテンツ検索部２１１９Ｃは、本発明の蓄積情報検索部に相当し、使用者により設定された検索キーとなる項目に関連するコンテンツを、ＨＤＤ２１６、メディア再生記録装置３のＨＤＤ、および、当該メディア再生記録装置３に取り付けられた半導体メモリに蓄積されたコンテンツから検索する。具体的に、コンテンツ検索部２１１９Ｃは、検索対象となるコンテンツの内容情報を取得し、検索画面であるＯＳＤメニュー画像で検索キーに設定された項目が、当該内容情報に含まれるか否かを判定する。そして、当該項目が内容情報に含まれるコンテンツを抽出し、該当するコンテンツの内容情報、例えば、ファイル名およびファイルパス等を取得して、ＲＡＭ２１２１に記憶させる。
【００３５】
サーバ探索部２１１９Ｄは、使用者により設定された検索キーとなる項目に関連するコンテンツが蓄積されたサーバ５を、ネットワークＮから探索する。そして、該当するサーバ５が検出された場合には、当該サーバ５に蓄積されたコンテンツから、検索キーに該当するコンテンツの内容情報を取得して、ＲＡＭ２１２１に記憶させる。
【００３６】
内容情報表示指示部２１１９Ｅは、コンテンツ検索部２１１９Ｃおよびサーバ探索部２１１９Ｄによる検索処理で取得した該当コンテンツの内容情報のうち、例えば、ファイル名を列挙したＯＳＤメニュー画像を、描画処理回路２１１５に生成させる。このＯＳＤメニュー画像で、当該ＯＳＤメニュー画像中のファイル名が選択された場合で、選択されたコンテンツファイルが、ＨＤＤ２１６またはメディア再生記録装置３に存在する場合は、ＣＰＵ２１１９は、当該コンテンツを読み込んで再生する。なお、このＯＳＤメニュー画像では、ファイル名に限らず、コンテンツファイルの作成日時等を列挙する画像としてもよい。
【００３７】
配信要求出力部２１１９Ｆは、内容情報表示指示部２１１９Ｅの制御下で表示されたＯＳＤメニュー画像中のファイル名が選択された場合で、選択されたコンテンツファイルがサーバ５に存在する場合に、サーバ５に対して、当該コンテンツファイルの配信要求信号を出力する。
書込先選択画面表示指示部２１１９Ｇは、配信要求出力部２１１９Ｆの配信要求により、サーバ５から配信されるコンテンツの書込先を使用者に選択させるＯＳＤメニュー画像を、描画処理回路２１１５に生成させる。
【００３８】
コンテンツ書込部２１１９Ｈは、配信されたコンテンツファイルを、書込選択画面であるＯＳＤメニュー画像で選択された書込先に書き込む。具体的には、本実施形態では、受像機本体２１にメディア再生記録装置３が接続されているので、配信されたコンテンツファイルは、ＨＤＤ２１６、メディア再生記録装置３のＨＤＤおよび半導体メモリの少なくともいずれかに記録される。
これにより、取得したコンテンツファイルを、受像機本体２１のＨＤＤ２１６、または、当該受像機本体２１に接続されたメディア再生記録装置３に記録することができるので、サーバ５に蓄積されたコンテンツファイルを再生する必要が生じるたびに、当該サーバ５に接続する必要を無くすことができる。従って、ネットワークＮの混雑緩和を図ることができるとともに、制御基板２１１での処理の軽減を図ることができる。
【００３９】
（３）コンテンツ検索処理Ｓのフロー
図４および図５は、コンテンツ検索処理Ｓの処理フローを示す図である。
コンテンツ検索処理Ｓは、リモコン２２の検索ボタンの入力により、コンテンツ検索処理開始の信号が受像機本体２１に受信された場合に、ＲＯＭ２１２０からコンテンツ検索プログラムが読み込まれることで実行され、当該受像機本体２１で取得されたＥＰＧ情報や、取得したコンテンツの内容情報に含まれる固有情報を基に、当該固有情報に関連するコンテンツを、受像機本体２１のＨＤＤ２１６、当該受像機本体２１に接続されたメディア再生記録装置３およびサーバ５に蓄積されたコンテンツから検索する処理である。
このコンテンツ検索処理Ｓでは、図４に示すように、受像機本体２１のＣＰＵ２１１９は、リモコン２２から送信される操作信号の入力を待機し（処理Ｓ１）、操作信号が入力した場合は、当該操作信号がコンテンツ検索の開始信号であるか否かを判定する（処理Ｓ２）。
【００４０】
ここで、ＣＰＵ２１１９が、受像機本体２１に入力した操作信号が検索開始信号でないと判定した場合には、当該操作信号に応じた処理を実行し、処理Ｓ１に戻って、再び操作信号の入力を待機する。
一方、ＣＰＵ２１１９が、受像機本体２１に入力した操作信号が検索開始信号であると判定した場合には、ＣＰＵ２１１９は、コンテンツ検索プログラムを読み込んで、コンテンツ検索処理を開始する。そして、ＣＰＵ２１１９は、受像機本体２１のインターフェース基板２１５に設けられた外部インターフェース２１５２に、メディア再生記録装置３および他の外部機器が接続されているかを判定する（処理Ｓ３）。
【００４１】
ここで、ＣＰＵ２１１９が、受像機本体２１にメディア再生記録装置３を含む外部機器が接続されていないと判定した場合には、処理Ｓ５に移行する。
一方、ＣＰＵ２１１９が、受像機本体２１に外部機器が接続されていると判定した場合には、当該外部機器をコンテンツ検索の検索対象に設定する（処理Ｓ４）。
【００４２】
この後、ＣＰＵ２１１９は、ネットワークインターフェース２１５３を介して、受像機本体２１がネットワークＮに接続可能であるかを判定する（処理Ｓ５）。
ここで、ＣＰＵ２１１９が、ネットワークＮに接続不可能であると判定した場合には、処理Ｓ７に移行する。
一方、ＣＰＵ２１１９が、ネットワークＮに接続可能であると判定した場合には、当該ネットワークＮを検索対象に設定する（処理Ｓ６）。
【００４３】
この後、ＣＰＵ２１１９は、処理Ｓ４，Ｓ６による検索対象の設定が行われたか否かを判定する（処理Ｓ７）。
ここで、ＣＰＵ２１１９が、検索対象の設定が行われなかったと判定した場合には、描画処理回路２１１５に制御信号を出力して、当該描画処理回路２１１５により、検索対象が無い旨の画像を生成させ、画像表示部２１４に表示させる（処理Ｓ８）。このような処理Ｓ８の後、ＣＰＵ２１１９は、コンテンツ検索処理Ｓを終了する。
【００４４】
一方、ＣＰＵ２１１９が、検索対象の設定が行われたと判定した場合には、画像表示部２１４に表示している画像コンテンツの内容情報を取得する（処理Ｓ９）。すなわち、この処理Ｓ９は、本発明の内容情報取得ステップに相当する。
具体的には、受像機本体２１が、放送信号を受信して、当該放送信号に含まれる画像コンテンツを表示している場合には、放送信号に含まれるＥＰＧ情報は、デマルチプレクサ２１１２によって分離抽出された後、ＥＰＧ処理回路２１１７によってデコードされ、ＣＰＵ２１１９によって項目ごとに取得される。ここで、ＥＰＧ情報が、デマルチプレクサ２１１２で分離、抽出できない場合、すなわち、ＥＰＧ情報が取得できない場合には、ＣＰＵ２１１９のＥＰＧ情報取得部２１１９Ｂが、ネットワークＮを介してサーバ４に接続し、表示中の画像コンテンツに対応するＥＰＧ情報を取得する。
また、表示中の画像コンテンツが、放送信号に含まれるものではない場合、例えば、ネットワークＮを介して、当該ネットワークＮ上に位置するサーバ等から配信されるコンテンツや、受像機本体２１のＨＤＤ２１６、メディア再生記録装置３に蓄積されたコンテンツである場合には、ＣＰＵ２１１９は、当該コンテンツのヘッダ情報、フッタ情報およびメタデータのいずれかからコンテンツの内容情報を取得する。
【００４５】
図６は、検索キーを設定させるＯＳＤメニュー画像を示す図である。
処理Ｓ９の後、ＣＰＵ２１１９は、描画処理回路２１１５に制御信号を出力して、当該描画処理回路２１１５により、コンテンツ検索における検索キーを設定させるＯＳＤメニュー画像を生成させる。そして、描画処理回路２１１５は、ＲＡＭ２１２１に記憶された項目に基づいて、検索キー設定のためのＯＳＤメニュー画像を生成、表示する（処理Ｓ１０）。この際、ＯＳＤメニュー画像は、図６に示すように、現在表示されている画像コンテンツに係る表示画像に重畳されて表示される。これにより、コンテンツの視聴を中断することなく、検索キー設定を行うことができる。
【００４６】
次に、ＣＰＵ２１１９は、図４に示すように、検索キー設定用ＯＳＤメニュー画像において、項目選択状態で待機し（処理Ｓ１１）、リモコン２２の確定ボタンが入力されたか否かを判定する（処理Ｓ１２）。
ここで、ＣＰＵ２１１９が、リモコン２２から入力する操作信号が、確定ボタンの入力に応じた操作信号ではないと判定した場合には、ＯＳＤメニュー画像の表示を継続し、処理Ｓ１１に戻って、項目選択待機状態を継続する。
一方、ＣＰＵ２１１９が、リモコン２２から入力する操作信号が、確定ボタンの入力に応じた操作信号であると判定した場合には、選択された項目を検索キーに設定する（処理Ｓ１３）。この検索キーとして選択された内容情報の項目が、コンテンツ検索処理Ｓにおける固有情報とされる。なお、図６では、表示中の画像コンテンツの出演者である「☆☆☆」が、検索キーとして設定されたこととなる。
【００４７】
この後、図５に示すように、処理Ｓ４，Ｓ６で設定した検索対象に対して、コンテンツ検索を実施する（処理Ｓ１４）。
ここで、検索対象に外部機器が設定されている場合には、ＣＰＵ２１１９のコンテンツ検索部２１１９Ｃが、ＨＤＤ２１６、および、外部機器の記憶媒体に蓄積されたコンテンツの内容情報を取得して、当該内容情報に検索キーが含まれるか否かを判定し、当該検索キーに関連するコンテンツを検索する。具体的には、受像機本体２１に、外部機器としてメディア再生記録装置３が接続されているので、当該メディア再生記録装置３のＨＤＤおよび半導体メモリカードに蓄積されたコンテンツが検索対象となる。
【００４８】
また、検索対象にネットワークＮが設定されている場合には、ＣＰＵ２１１９のサーバ探索部２１１９Ｄが、設定された検索キーに関連するコンテンツが蓄積されたサーバ５を探索する。すなわち、この処理Ｓ１５では、ネットワークＮ上に存在するコンテンツから、検索キーに関連するコンテンツを検索することとなる。例えば、このようなサーバ探索方法としては、複数のコンテンツ配信が可能なサーバ５に対して検索キーを出力し、サーバ５から、当該検索キーを含む内容情報を備えるコンテンツが存在するか否かを受像機本体２１に出力することにより、該当するコンテンツが蓄積されたサーバ５を探索するようにしてもよい。また、予め決まったサーバ５に対して、該当コンテンツが存在するか否かを検出するようにしてもよい。
【００４９】
この処理Ｓ１４によるコンテンツ検索において、該当コンテンツが存在するか否かを判定する（処理Ｓ１５）。すなわち、これら処理Ｓ１４，Ｓ１５が、本発明の蓄積情報検索ステップに相当する。
ここで、コンテンツ検索部２１１９Ｃが、ＨＤＤ２１６、および、外部機器であるメディア再生記録装置３に該当するコンテンツが存在しないと判定した場合で、かつ、サーバ探索部２１１９Ｄが、該当するコンテンツが蓄積されたサーバ５が存在しないと判定した場合には、ＣＰＵ２１１９は、描画処理回路２１１５に制御信号を出力する。当該信号が入力した描画処理回路２１１５は、該当するコンテンツが存在しない旨の画像を生成し、当該画像を表示画像に重畳させた画像を生成する（処理Ｓ１６）。
【００５０】
一方、コンテンツ検索部２１１９Ｃが、ＨＤＤ２１６およびメディア再生記録装置３に該当するコンテンツが存在すると判定した場合、当該コンテンツの内容情報を取得する。具体的には、該当するコンテンツのファイル名、タイトル名およびファイルパス等を取得する（処理Ｓ１７）。
または、サーバ探索部２１１９Ｄが、該当するコンテンツが蓄積されたサーバ５が存在すると判定した場合には、当該サーバ５にアクセスして、該当するコンテンツの内容情報を取得する（処理Ｓ１７）。具体的には、該当するコンテンツのファイル名、タイトル名および当該ファイルのＵＲＬ（Universal Resource Locater）等を取得する。
【００５１】
図７は、該当コンテンツの名称を一覧表示したＯＳＤメニュー画像を示す図である。
処理Ｓ１７の後、ＣＰＵ２１１９の内容情報表示指示部２１１９Ｅは、描画処理回路２１１５に制御信号を出力し、当該信号が入力した描画処理回路２１１５は、取得した該当コンテンツの内容情報を一覧表示するＯＳＤメニュー画像を生成し、画像表示部２１４に表示させる（処理Ｓ１８）。すなわち、処理Ｓ１８は、本発明の内容情報表示ステップに相当する。
具体的には、この処理Ｓ１８では、図７に示すように、検索キーに関連するコンテンツ名（ファイル名）を一覧表示したＯＳＤメニュー画像を、現在表示している画像コンテンツの表示画像に重畳させて表示する。これにより、前述の検索キー設定用のＯＳＤメニュー画像の場合と同様に、視聴しているコンテンツを中断せずに、コンテンツ検索結果を得ることができる。
【００５２】
処理Ｓ１８により表示された内容情報を表示するＯＳＤメニュー画像では、コンテンツ名は、項目として選択可能とされている。例えば、図７では、「△△△△△.mp3」が選択されている。このＯＳＤメニュー画像でコンテンツが選択された場合には、ＣＰＵ２１１９は、当該コンテンツを読み込んで再生処理を行う。
このため、図５に示すように、処理Ｓ１８の後、ＣＰＵ２１１９は、ＯＳＤメニュー画像で表示されている内容情報、具体的には、コンテンツ名が使用者によって選択され、確定ボタンが入力されたか否かを判定する（処理Ｓ１９）。
【００５３】
ここで、ＣＰＵ２１１９が、ＯＳＤメニュー画像中に表示されたコンテンツ名が選択されずに、当該ＯＳＤメニュー画像が閉じられたと判定した場合には、コンテンツ検索処理Ｓを終了する。
一方、ＣＰＵ２１１９が、コンテンツ名が選択されたと判定した場合には、選択されたコンテンツが、ネットワークＮ上に存在するか否かを判定する（処理Ｓ２０）。この判定では、処理Ｓ１７によって取得した内容情報に含まれるファイルパスおよびファイルのＵＲＬを調べることで判定できる。
【００５４】
ここで、ＣＰＵ２１１９が、選択されたコンテンツがネットワークＮ上に存在しないと判定した場合、すなわち、受像機本体２１のＨＤＤ２１６、または、当該受像機本体２１に接続されたメディア再生記録装置３に存在すると判定した場合には、当該コンテンツを読み込んで再生する（処理Ｓ２４）。
【００５５】
図８は、コンテンツの書込先選択を行うＯＳＤメニュー画像を示す図である。
一方、ＣＰＵ２１１９が、選択されたコンテンツがネットワークＮ上に存在すると判定した場合には、図８に示すように、当該コンテンツの書込先を選択させるＯＳＤメニュー画像を表示する（処理Ｓ２１）。具体的には、ＣＰＵ２１１９の書込先選択画面表示指示部２１１９Ｇが、描画処理回路２１１５に制御信号を出力する。当該信号が入力した描画処理回路２１１５は、受像機本体２１に接続された外部機器の構成を取得して、選択したコンテンツが書込可能な記憶媒体を表示するＯＳＤメニュー画像を生成し、画像表示部２１４に表示させる。
【００５６】
例えば、本実施形態では、受像機本体２１の外部インターフェース２１５２のポート１番に、外部機器として、メディア再生記録装置３が接続されており、当該メディア再生記録装置３には、記憶媒体として、ＨＤＤおよび半導体メモリのメモリカードが装着されている。このため、図８では、受像機本体２１のＨＤＤ２１６のほかに、「外部機器１」としてのメディア再生記録装置３に設けられたＨＤＤおよびメモリカードが、書込可能な記憶媒体として表示されている。なお、図８では、メディア再生記録装置３のＨＤＤが書込対象として選択されている。
【００５７】
処理Ｓ２１の後、図５に示すように、ＣＰＵ２１１９の配信要求出力部２１１９Ｆは、処理Ｓ１９で選択されたコンテンツの配信を要求する配信要求信号を、当該コンテンツが蓄積されたサーバ５に出力する（処理Ｓ２２）。
この処理Ｓ２２の要求信号によってサーバ５から配信されるコンテンツは、ＣＰＵ２１１９のコンテンツ書込部２１１９Ｈにより、処理Ｓ２１で選択された書込先に書き込まれ（処理Ｓ２３）、この後、当該コンテンツは再生処理される（処理Ｓ２４）。例えば、図７，８のように、処理Ｓ１９で選択されたサーバ５上の「△△△△△.mp3」は、処理Ｓ２１で選択された「外部機器１」であるメディア再生記録装置３のＨＤＤに記録された後、受像機本体２１に読み込まれて再生される。この処理Ｓ２４により、コンテンツ検索処理およびコンテンツ検索プログラムは終了する。
【００５８】
前記説明した本実施形態のテレビ受像機２によれば、以下の効果を奏することができる。
すなわち、コンテンツ検索処理Ｓでは、デマルチプレクサ２１１２およびＥＰＧ処理回路２１１７により、放送信号に含まれるＥＰＧ情報を取得し、当該ＥＰＧ情報からＣＰＵ２１１９により、項目ごとに区分して取得される。このようにして取得された項目が検索キーとして設定され、コンテンツ検索部２１１９Ｃにより、検索キーに関連するコンテンツが、受像機本体２１のＨＤＤ２１６、メディア再生記録装置３のＨＤＤおよび半導体メモリカードに蓄積されたコンテンツから検索される。そして、抽出されたコンテンツから、当該コンテンツのコンテンツ名等の内容情報が取得され、ＣＰＵ２１１９の内容情報表示指示部２１１９Ｅの制御下で、描画処理回路２１１５により、コンテンツ検索によって抽出された該当コンテンツの名称が一覧表示される。
【００５９】
また、コンテンツ検索処理Ｓでは、放送信号からコンテンツを取得する場合で、当該放送信号からＥＰＧ情報を取得できない場合には、サーバ４にアクセスして、コンテンツの固有情報であるＥＰＧ情報を取得する。
さらに、ファイルに由来するコンテンツを表示している場合には、当該ファイルに含まれるヘッダ情報、フッタ情報およびメタデータから固有情報を取得する。
【００６０】
以上のようなコンテンツ検索処理によれば、ＨＤＤ２１６、メディア再生記録装置３のＨＤＤおよび半導体メモリに蓄積されたコンテンツから、所望のコンテンツを検索する際に、コンテンツの内容情報に含まれる項目である固有情報に基づいて検索を行うので、検索キー入力の必要をなくし、簡易に検索処理を実行することができる。また、これにより、検索キーの入力誤りや不適な検索キーの入力を無くすことができ、コンテンツ検索の精度を向上することができる。従って、コンテンツ検索を、容易に、かつ、効率よく行うことができる。
【００６１】
また、テレビ受像システム１では、テレビ受像機２の受像機本体２１は、ネットワークＮと接続可能に構成されている。そして、コンテンツ検索処理Ｓでは、受像機本体２１のＣＰＵ２１１９のサーバ探索部２１１９Ｄが、コンテンツ検索に際して、ネットワークＮ上に存在するサーバから、検索キーに関連するコンテンツが蓄積されたサーバ５を探索し、当該サーバ５に対して、コンテンツ検索で抽出された該当コンテンツの配信要求信号を出力する。これによれば、コンテンツの検索対象が、受像機本体２１のＨＤＤ、メディア再生記録装置３のＨＤＤおよび半導体メモリカードだけでなく、ネットワークＮに広げることができる。従って、より多くのコンテンツを、受像機本体２１で利用することができる。
【００６２】
コンテンツ検索処理Ｓの処理Ｓ９において、放送信号からＥＰＧ情報を取得できる場合には、デマルチプレクサ２１１２、ＥＰＧ処理回路２１１７およびＣＰＵ２１１９により、項目毎にＥＰＧ情報を区分して取得する。これによれば、放送信号からＥＰＧ情報を取得可能な場合に、当該ＥＰＧ情報をするために、ネットワークＮに接続してＥＰＧ情報配信サーバであるサーバ４にアクセスする必要を無くすことができる。従って、ネットワーク回線の混雑緩和を図ることができるとともに、安定してＥＰＧ情報を取得することができる。
また、処理Ｓ１４におけるコンテンツ検索では、受像機本体２１のＣＰＵ２１１９のコンテンツ検索部２１１９Ｃは、蓄積されたコンテンツの内容情報を取得し、当該内容情報と検索キーとの対比を行うことにより、当該検索キーに関連したコンテンツを抽出する。これによれば、検索処理を迅速に行うことができ、コンテンツ検索処理Ｓにかかる時間を短縮することができる。
【００６３】
ここで、画像コンテンツの内容情報は、それぞれのコンテンツ情報のコンテンツ名（タイトル名）、ジャンル、内容、出演者および演奏者（アーティスト名）等を含む当該コンテンツ情報の内容に係る情報を指す。また、画像コンテンツの固有情報は、内容情報に含まれるコンテンツ名（タイトル名）、ジャンル、内容、出演者および演奏者等の個々の情報を指す。また、内容情報取得部によって取得される画像コンテンツの内容情報は、表示中の画像コンテンツの内容情報でもよく、また、表示中ではない画像コンテンツの内容情報でもよい。
【００６４】
（４）実施形態の変形
本発明を実施するための最良の構成などは、以上の記載で開示されているが、本発明はこれに限定されるものではない。すなわち、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００６５】
前記実施形態では、テレビ受像機２の受像機本体２１を構成するＣＰＵ２１１９のサーバ探索部２１１９Ｄは、当該受像機本体２１で表示可能なコンテンツの内容情報に含まれる固有情報から選択された検索キーを基に、当該検索キーを内容情報に含むコンテンツが蓄積され、要求に応じて当該コンテンツを配信するコンテンツ配信サーバであるサーバ５を、ネットワークＮから探索するとしたが、本発明はこれに限らない。すなわち、予め決まったＵＲＬを有するサーバにアクセスするようにしてもよい。このような場合、ネットワークＮ全体からサーバを探索せずに済むので、コンテンツの検索時間を短縮することができる。
【００６６】
前記実施形態では、コンテンツ書込部２１１９Ｈにより、サーバ５から配信されたコンテンツを、受像機本体２１のＨＤＤ２１６、メディア再生記録装置３のＨＤＤおよび半導体メモリカードの少なくともいずれかに書き込むとしたが、本発明はこれに限らない。すなわち、サーバ５から配信されるコンテンツをストリーミング再生のようにして再生するようにしてもよい。
【００６７】
前記実施形態では、外部機器として、ＨＤＤ、および、半導体メモリカードのリーダ／ライタを備えたメディア再生記録装置３を例示したが、本発明はこれに限らず、ＰＣ（Personal Computer）や、光ディスク装置等であってもよい。すなわち、記憶媒体および記録媒体から、少なくとも当該媒体に書き込まれたコンテンツを読み出せる構成であれば、他の装置であってもよい。
【００６８】
前記実施形態では、画像表示装置として、テレビ受像機２を例示したが、本発明はこれに限らず、チューナ２１１１は必ずしも必要ではない。すなわち、画像表示装置は、ＰＣに接続されるモニタでもよい。このような場合、検索キーとなるコンテンツの固有情報は、ネットワークＮを介してサーバ４からＥＰＧ情報として取得するようにすればよく、また、再生するコンテンツファイルに含まれるヘッダ情報、フッタ情報およびメタデータから取得するようにすればよい。
【００６９】
前記実施形態では、テレビ受像機２の画像表示部２１４は、液晶パネルを備えて構成されるとし、当該テレビ受像機２は、液晶テレビであるとしたが、本発明はこれに限らず、プラズマディスプレイテレビや、プロジェクションテレビであってもよい。
【産業上の利用可能性】
【００７０】
本発明は、テレビ受像機に利用できる他、入力される画像情報に基づいて、画像コンテンツを表示する画像表示手段と、この画像表示手段を含む装置全体を駆動制御する制御手段とを備えた画像表示装置、例えば、モニタおよびプロジェクタ等にも、好適に利用することができる。
【図面の簡単な説明】
【００７１】
【図１】本発明の一実施形態に係るテレビ受像システムの構成を示す図。
【図２】前記実施形態におけるテレビ受像機の構成を示すブロック図。
【図３】前記実施形態におけるＣＰＵの機能分類を示すブロック図。
【図４】前記実施形態におけるコンテンツ検索処理の処理フローを示す図。
【図５】前記実施形態におけるコンテンツ検索処理の処理フローを示す図。
【図６】前記実施形態における検索キー設定用のメニュー画像を示す図。
【図７】前記実施形態における内容情報表示用のメニュー画像を示す図。
【図８】前記実施形態におけるコンテンツ書込先選択用のメニュー画像を示す図。
【符号の説明】
【００７２】
１…テレビ受像システム（画像表示システム）、２…テレビ受像機（画像表示装置）、３…メディア再生記録装置（外部機器）、５…サーバ（コンテンツ配信サーバ）、２１１…制御基板（制御手段）、２１４…画像表示部（画像表示手段）、２１５…インターフェース基板（外部機器接続手段）、２１６…ＨＤＤ（記憶装置）、２１１２…デマルチプレクサ（内容情報取得部）、２１１５…描画処理回路（内容情報表示部）、２１１６…映像出力回路（内容情報表示部）、２１１７…ＥＰＧ処理回路（内容情報取得部）、２１５３…ネットワークインターフェース、２１１９Ｂ…ＥＰＧ情報取得部（内容情報取得部）、２１１９Ｃ…コンテンツ検索部（蓄積情報検索部）、２１１９Ｄ…サーバ探索部、２１１９Ｆ…配信要求出力部、２１１９Ｈ…コンテンツ書込部（情報書込部）、Ｎ…ネットワーク、Ｓ９…内容情報取得ステップ、Ｓ１４，Ｓ１５…蓄積情報検索ステップ、Ｓ１８…内容情報表示ステップ。
【図１】
2006215903.tif 000003
【図２】
2006215903.tif 000004
【図３】
2006215903.tif 000005
【図４】
2006215903.tif 000006
【図５】
2006215903.tif 000007
【図６】
2006215903.tif 000008
【図７】
2006215903.tif 000009
【図８】
2006215903.tif 000010